(57)【特許請求の範囲】
【請求項１】
原子力発電プラントにおける給水加熱器又はドレンタンクの上下部に接続された検出配管ヘッダー相互間を連結すると共に、その適宜２か所を分岐して上部検出配管及び下部検出配管を接続し、これら各検出配管に計器入口弁を設けると共に、端部側に設けられたフランジに前記給水加熱器又はドレンタンク内の水位変化を差圧の変化として検出する差圧発信器のダイアフラムを接続してなる水位検出配管において、
前記上部検出配管の前記フランジの手前に水溜め高さが調整可能なクランク型の水溜め部を設けたことを特徴とする水位検出配管。
【請求項２】
原子力発電プラントにおける給水加熱器又はドレンタンクの上下部に接続された検出配管ヘッダー相互間を連結すると共に、その適宜２か所を分岐して上部検出配管及び下部検出配管を接続し、これら各検出配管に計器入口弁を設けると共に、端部側に設けられたフランジに前記給水加熱器又はドレンタンク内の水位変化を差圧の変化として検出する差圧発信器のダイアフラムを接続してなる水位検出配管において、
前記上部及び下部検出配管の前記計器入口弁の出口側相互間を連絡管により接続すると共に、前記フランジとしてドレン抜き及び洗浄用の穴を有する特殊フランジを用い、前記上部検出配管の前記フランジの手前に水溜め高さが調整可能なクランク型の水溜め部を設け、且つ前記下部検出配管ヘッダーに接続された下部検出配管に絞りを設けたことを特徴とする水位検出配管。
【発明の詳細な説明】
【０００１】
【発明の属する技術分野】
本発明は原子力発電プラントにおけるシールダイアフラム型差圧発信器を用いた給水加熱器、ドレンタンク等の水位検出配管に関する。
【０００２】
【従来の技術】
原子力発電プラントにおける給水加熱器、ドレンタンク等の水位検出方法は、近年シールダイアフラム型差圧発信器を用いた水位検出が主流になっている。
図５は、従来のシールダイアフラム型差圧発信器を用いた水位検出配管の系統構成例を示すものである。
【０００３】
図５において、１は給水加熱器で、この給水加熱器１の上下部には水位検出用の検出座が設けられ、この検出座に検出元弁３を介して検出配管ヘッダー２−１がそれぞれ接続されている。これら上下部の検出ヘッダー２−１は相互に共通に接続されると共に、その適宜２か所をそれぞれ分岐して検出配管２−２が接続され、この検出配管２−２には、水位検出バランス管として発信器の他、水位スイッチ等が設置される。
【０００４】
水位発信器配管としては、各検出配管２−２に計器入口弁４が設けられると共に、その端部側にフランジ１４が取付けられ、このフランジ１４には給水加熱器１内の水位変化を差圧の変化として検出する差圧発信器のダイアフラム１１がそれぞれ接続される。
【０００５】
また、上部検出配管２−２の内部流体は高温の蒸気であるため、上部検出配管２−２の端部側にティー１３が設けられ、その下端部に上部フランジ１４を接続してフランジ１４に水を溜めることにより、ダイアフラム１１の保護及びダイアフラム面での水素透過の防止を行っている。さらに、ティー１３の上端部には計器校正及びベント用としてテスト／ベント弁８と閉止プラグ９が設けられる。
【０００６】
【発明が解決しようとする課題】
しかし、かかる従来の水位検出配管においては、以下のような問題がある。
（１）上部及び下部検出配管２−２間を通して水を注入できないため、計器校正の際、計器の正確な校正が不可能であった。
（２）テスト／ベント弁８がティー１３により計器入口弁４とフランジ１４間に設置されているため、フランジメンテナンス時に計器入口弁４からフランジ１４の間に残留した凝縮ドレンをフランジ取外し前に抜くことができなかった。この凝縮ドレンは原子炉内で発生した蒸気を凝縮したものであり、フランジ取外し時には作業員の被爆の危険性があった。
（３）上部フランジ手前の水溜め部は、ティー１３を用いて確保しているため、水溜め部の高さが１５０〜１８０ｍｍとなっている。従って、プラント起動時、給水加熱器１内は復水器と接続されて真空となり、この水溜り部の水が蒸発し、水頭圧がなくなるため、見掛上水位を１５０〜１８０ｍｍ高めに指示してしまう。給水加熱器の場合、水位制御範囲が通常水位±１５０ｍｍ程度のため、上記誤差が無視できなかった。
（４）水位検出配管は、口径５０Ａで構成されており、給水加熱器内部の水位の波立ち等をそのまま伝えていたため、発信器にて検出する水位としてはノイズ状のヒゲとなって検出され、波立ち等のある場合には正確な水位検出ができなかった。
【０００７】
本発明は上記の問題点を解消し、原子力発電プラントにおける給水加熱器、ドレンタンクの水位を高精度に検出することができる信頼性の高い水位検出配管を提供することを目的とする。
【０００８】
【課題を解決するための手段】
本発明は上記の目的を達成するため次のような手段により水位検出配管を構成するものである。
請求項１に対応する発明は、原子力発電プラントにおける給水加熱器又はドレンタンクの上下部に接続された検出配管ヘッダー相互間を連結すると共に、その適宜２か所を分岐して上部検出配管及び下部検出配管を接続し、これら各検出配管に計器入口弁を設けると共に、端部側に設けられたフランジに前記給水加熱器又はドレンタンク内の水位変化を差圧の変化として検出する差圧発信器のダイアフラムを接続してなる水位検出配管において、前記上部検出配管の前記フランジの手前に水溜め高さが調整可能なクランク型の水溜め部を設ける。
【０００９】
上記のような構成の水位検出配管にあっては、水溜め部の高さはクランク部の傾き角度を変えることにより調整可能となるので、水溜め部の高さが校正部の部品の大きさ及び溶接脚長に左右されずに最小にすることができる。
【００１４】
請求項２に対応する発明は、原子力発電プラントにおける給水加熱器又はドレンタンクの上下部に接続された検出配管ヘッダー相互間を連結すると共に、その適宜２か所を分岐して上部検出配管及び下部検出配管を接続し、これら各検出配管に計器入口弁を設けると共に、端部側に設けられたフランジに前記給水加熱器又はドレンタンク内の水位変化を差圧の変化として検出する差圧発信器のダイアフラムを接続してなる水位検出配管において、上部及び下部検出配管の前記計器入口弁の出口側相互間を連絡管により接続すると共に、フランジとしてドレン抜き及び洗浄用の穴を有する特殊フランジを用い、上部検出配管の前記フランジの手前に水溜め高さが調整可能なクランク型の水溜め部を設け、且つ下部検出配管ヘッダーに接続された下部検出配管に絞りを設ける。
【００１５】
上記のような構成の水位検出配管にあっては、計器校正の精度向上、フランジメンテナンス時の作業性向上、水溜め部の凝縮水が蒸発した場合でも水位計測に与える影響を最小にし、かつ給水加熱器内部での波立ち等の影響を受けずに水位計測を行うことができる。
【００１６】
【発明の実施の形態】
以下本発明の実施の形態を図面を参照して説明する。
図１は本発明による水位検出配管の実施の形態を示す系統構成図で、図５と同一部分には同一符号を付して示す。
【００１７】
図１において、１は給水加熱器で、この給水加熱器１の上下部に水位検出用の検出座が設けられ、この検出座に検出元弁３を介して検出配管ヘッダー２−１がそれぞれ接続されている。これら上下部の検出ヘッダー２−１は相互間が共通に接続されると共に、その適宜２か所をそれぞれ分岐して検出配管２−２が接続され、各検出配管２−２にそれぞれ計器入口弁４が設けられると共に、その端部に特殊フランジ７が接続される。
【００１８】
この特殊フランジには、図２に示すように上下部の検出配管２−２の差圧を検出する水位発信器の受圧ダイアフラム１１が接続され、また検出配管接続口下部にドレン抜き、及び洗浄を兼ねた穴７ａが設けられ、この穴７ａにベント／テスト弁８が接続されると共に、閉止プラグ９にて閉止される。
【００１９】
また、上下検出配管の計器入口弁４の出側間に連絡管５が接続され、この連絡管５と特殊フランジ７との間の上部検出配管に水溜め部６が設けられる。
この水溜め部６は、図３（ａ），（ｂ）に示すように短管６ａとこの短管８ａの両端部に接続された２個のエルボ６ｂ，６ｃから構成され、水溜め部６の高さはクランク部の角度αを変えることにより調節可能になっている。
【００２０】
一方、下部検出配管２−２にはクロスティー１２が設けられており、このクロスティー１２の手前の検出配管ヘッド２−１に絞り１０が設けられる。この絞り１０は、図４に示すように上部開口をテーパ形状とし、ゴミの溜り難い形状となっている。
【００２１】
このような構成の水位検出配管とすれば、計器入口弁４の出側の上下検出配管２−２の間に連絡管５を設けているので、計器校正時には計器入口弁４を閉、テスト／ドレン弁８を開として、下部検出配管側の閉止プラグ９部にチューブを接続することにより、チューブに水をはりながら、計器校正が可能である。
【００２２】
また、特殊フランジ７にドレン抜き及び洗浄を兼ねた穴７ａを明け、この穴７ａにテスト／ベント弁８を接続する構成としてあるので、フランジメンテナンス時には、フランジ取外し前にテスト／ベント弁８を明け、配管内部の凝縮ドレインを抜き、洗浄した後にフランジ７を取外すことにより、作業員の被爆の危険性を回避することができる。
【００２３】
さらに、上部検出配管２−２の連絡管５の接続部と特殊フランジ７との間に設けられた水溜め部６の構造をクランク型とし、この水溜め部６の高さはクランク部の角度αを変えることにより調節可能となるため、水溜め部６の高さが構成部の部品の大きさ及び溶接脚長に左右されずに最小（５０ｍｍ）とすることができる。
【００２４】
一方、下部検出配管ヘッダー２−１と下部検出配管２−２とを接続するクロスティー１２の下部配管接続口に上部開口をテーパ形状とした絞り１０を設けているので、給水加熱器本体内の水位波立ち等による影響を受けない安定した水位計測が可能となる。
【００２５】
なお、上記実施の形態では給水加熱器の水位検出配管について述べたが、ドレンタンクの水位検出配管の場合にも前述した実施の形態と同様に構成することができる。
【００２６】
【発明の効果】
以上述べたように本発明によれば、計器校正の精度向上、フランジメンテナンス時の作業性向上、水溜め部の凝縮水が蒸発した場合でも水位計測に与える影響を最小にし、かつ給水加熱器又はドレンタンク内部での波立ち等の影響を受けずに水位計測を行うことができる水位検出配管を提供できる。
【図面の簡単な説明】
【図１】本発明による水位検出配管の実施の形態を示す系統図。
【図２】同実施の形態における特殊フランジの構造を示す断面図。
【図３】（ａ），（ｂ）は同実施の形態における水溜め部の構造を示すもので、（ａ）は斜視図、（ｂ）は水溜め部の高さ調整を説明するための正面図。
【図４】同実施の形態における絞り部の構造を示す断面図。
【図５】従来の水位検出配管の構成例を示す系統図。
【符号の説明】
１……給水加熱器
２−１……検出ヘッダー
２−２……検出配管
３……検出元弁
４……計器入口弁
５……連絡管
６……水溜め部
７……特殊フランジ
８……テスト／ベント弁
９……閉止プラグ
１０……絞り
１１……ダイアフラム
１２……クロスティー
【図１】
0003550266.tif 000002
【図２】
0003550266.tif 000003
【図３】
0003550266.tif 000004
【図４】
0003550266.tif 000005
【図５】
0003550266.tif 000006